(57)【要約】【課題】局所洗浄器の水使用による冷感から来る不快感を取り除き、洗浄ノズルへの送水が手動であるため、面倒で、手が汚れることを防ぎ、どこでも衛生的に局所洗浄でき、保管時や携帯時に、局所洗浄器であることが分からないような形状をした局所洗浄器を得る。【解決手段】貯水容器内中心部に発熱体を配置して洗浄水を温め、浄水パックを送水経路に内蔵して洗浄水を浄化し、電動スクリューによる柔らかな一定水流で送水し、使用後につぶして燃やせる使い捨て型洗浄ノズルを装備し、保管時や携帯時の外観は、動物を模した姿として抵抗感を排除した使い捨て洗浄ノズル装着携帯電動温水局所洗浄器とした。【選択図】図１
0003133610.tif 000002
【実用新案登録請求の範囲】
【請求項１】
洗浄水を温めるための発熱体を入れる発熱体挿入部と乾電池式電動モーター駆動の送水スクリューを内蔵した貯水容器と、使い捨て浄水パックを内蔵設置して首振り機構を備えた自在首、及び、水温が体温程度に上がった時に色が変わる水温感知変色センサーを備えて、使い捨て洗浄ノズルを装着する浄化水一時貯水タンクと、洗浄ノズルを格納し、発熱体挿入部の蓋になる飾り台部分の組み合わせからなり、外観が動物の姿を模した使い捨て洗浄ノズル装着携帯電動温水局所洗浄器。
【考案の詳細な説明】
【技術分野】
【０００１】  本考案は、携帯できて電動で洗浄液を送り出し、女性器の膣内洗浄をし清浄するための使い捨て洗浄ノズル装着携帯電動温水局所洗浄器に関するものである。
【背景技術】
【０００２】  近年、女性の衛生意識の高まりから、さまざまな種類のビデ、膣内洗浄器等が提案されている。家庭内の浴室で、シャワーを利用して使うものの普及により、膣内洗浄の効能も浸透し、簡単に、外出先のトイレなどでも気軽に局所洗浄できるものが求められている。既に、提案されている携帯型の膣内洗浄器には、以下のものがある。【０００３】  特開２００４−２５４７１６膣内洗浄具のような洗浄液内臓のタンポン型を特徴とするもの、特開平０９−１３５８７７洗浄器のようなふいご状圧水容器を特徴とするもの、実公平０７−０１９３５８の膣腔内清浄具のような高給水物質で作成した器具に水を含ませて掻き出すことを特徴とするもの、特開平１１−１０４２１０しずく止め付ななめノズル膣洗浄器のように洗浄ノズルを傾斜させ、しずく止めを付けたことを特徴とするもの、特開２００５−０２７７４１携帯用ビデのように洗浄ノズルを容器で包み込みコンパクト収納を特徴とするもの、実開平０７−０４４９１３携帯用ビデや実開平０７−１８７２８携帯用ビデのような洗浄ノズルを容器内に押し込んでコンパクト収納を特徴とするもの等がある。【０００４】  これらの携帯型ビデに共通する点は、以下の通りである。
１．貯水容器内の水を手動で送り出す方式であること。
２．その貯水容器内に入れるのは、水であること。
３．形状は、一目でビデと分かるものである。
【考案の開示】
【考案が解決しようとする課題】
【０００５】  解決しようとする問題点は、以下の通りである。
１．手動であるため、面倒であり、手が汚れることが多い。
２．水使用なので、水温が下がる季節には、積極的に使いたいとの気持ちが失せてしまう。
３．一目でビデと分かる形のため、その抵抗感から、部屋の中でも、手軽に使える場所に置けない。また、ハンドバッグ等に入れて携帯するにも抵抗がある
４．外出先で得られる水を、そのまま、使うには、不衛生である。
５．材質の如何を問わず、洗浄ノズルを何度も使うのは、不衛生である。
【課題を解決するための手段】
【０００６】  上記の問題点を解決するため、使い捨て洗浄ノズル装着携帯電動温水局所洗浄器（以降、本考案器具と呼ぶ。）は、
１．洗浄水の送り出しに、乾電池式電動モーター駆動の送水スクリューを内蔵した。
２．貯水容器内に、洗浄水を温めるための発熱体を入れる発熱体挿入部を設け、貯水容器内部から洗浄水を温めることとした。
３．本考案器具の形状は、動物の姿をした形状で、一見、飾り物に見え、携帯しても、その使用目的が局所洗浄器だと分からないものにした。
４．送水スクリューから洗浄ノズルまでの間に使い捨て浄水パックを設置し、外出先で得られる水を使っても、綺麗にろ過した洗浄水が洗浄ノズルに供給されるようにした。
５．洗浄ノズルは、焼却することができる材質で、廃棄の際に、その形状を残さずつぶすことが出来る使い捨て型とした。又、未使用の洗浄ノズルは、貯水容器内部の発熱体挿入部に、未使用発熱体と一緒に格納して携帯することができるようにした。
【考案の効果】
【０００７】  本考案器具は、
１．貯水容器から洗浄水を送り出すのに、乾電池式伝導モーター駆動の送水スクリューを内蔵したため、局部洗浄後の廃液で手を汚すのを防ぐ利点がある。
２．貯水タンク中心部に発熱体挿入部を設けて、発熱体の熱によって洗浄水を人肌程度に温めることができるため、冷たい水を使わなくても良い利点がある。
３．本考案器具の形状を、一見、飾り物に見える動物の姿にしたため、室内の手軽に使える場所に、抵抗感なく置くことができ、気軽に携帯もできる利点がある。
４．外出先で得られる水でも、使い捨て浄水パックによって綺麗にろ過した洗浄水を洗浄ノズルに供給するため、発熱体の熱によって洗浄水を温めることと相まって、水温・水質共に、生体にやさしい局所洗浄が、抵抗感なく、安全・手軽にできる利点がある。
５．洗浄ノズル部分は、その形状を残さず廃棄でき、焼却できる材質であるため、有害ゴミの排出を抑制でき、使用する事への精神的負荷を与えない利点がある。
【考案を実施するための最良の形態】
【０００８】  動物の姿をした本考案器具の頭部に当たる浄化水一時貯水タンクを貯水容器から引き抜いて洗浄水出入り口から貯水容器に洗浄水を注入し、元通りに浄化水一時貯水タンクを取り付ける。次に、飾り台と一体の洗浄ノズル格納足を貯水容器から取り外し、洗浄ノズルと発熱体を取り出し、ノズル挿入穴を覆う動物の口やくちばしにあたるノズル挿入穴カバーを取り外し、洗浄ノズルをノズル挿入穴に挿入する。次に、発熱体が熱を発するようにしてから貯水容器の発熱体挿入部に入れて飾り台と一体の洗浄ノズル格納足を取り付ける。水温感知変色センサーの色が変わったら水温が体温程度に上がっているので、本考案器具を逆さにして、洗浄ノズルを局部に挿入し、スイッチを入れて局部洗浄をする。
【実施例】
【０００９】図１は、保管時の側断面図であり、部品の内部構成を示す図である。
図２は、保管時の外観斜視図であり、使わない時の外観を示す図である。
図３は、保管時の側断面分解図であり、各部品の構成と部品の格納をを示す図である。
図４は、保管時の斜視分解図であり、各部品の構成と部品の格納を斜視図で示す図である。
図５は、使用時の側断面分解図で、格納部品の使い方を示す図である。
図６は、使用時の斜視分解図で、格納部品の使い方を示す斜視図である。
図７は、使用時の側断面図であり、部品の内部構成を示し、洗浄ノズルの角度調整を説明する図である。
図８は、使用時の外観斜視図であり、使用時の外観を示し、洗浄ノズルの角度調整を説明する図である。
図９は、頭部の斜視分解図であり、洗浄ノズルの角度調整のための首振り機構と浄水パックを入れる自在首の構造を示す図である。【００１０】  図１は、保管時の側断面図であり、保管時における部品の内部構成を示す図である。外観が動物の姿を模しており、胴体に当たる耐熱材の貯水容器１の底部から容器中心部に向けて、試験管状の発熱体挿入部２を設け、発熱体挿入部２内部には、保管時には、共に未使用の、発熱体挿入管３ａと一体化した発熱体３と使い捨ての洗浄ノズル４を格納し、使用時には、使い捨ての洗浄ノズル４を取り出し、頭部に当たる浄化水一時貯水タンク１０に明いたノズル挿入穴２３に装着し、発熱体３を反応させて発熱体挿入部２に戻し、底面に空気を供給するための空気供給穴１３が明いた飾り台１４と洗浄ノズル格納足１２が一体化したものを蓋にし、貯水容器１の上部には円柱状の筒穴が空き、貯水容器１内部とつながり、その円柱状の筒穴には、モーター保持材６で包まれるモーター５を挿入し、モーター保持材６の膨張力によりモーター５を固定し、送水スクリュー７の取り付く回転軸を支える円錐状の軸受２２がモーター５上部を覆い、その底辺が筒穴と接触する位置の筒穴壁には、洗浄水注入時にも、洗浄水送水時にも洗浄水の通り道になる複数の洗浄水出入り口１ａの穴が開けてあり、モーター５の配線１８は、動物が背中に背負った形の電池箱１５につながり、電池箱蓋１６にはスイッチ１７を取り付けモーター５のオン・オフを切り替え、自在首２１先端の金網９の手前には、送水スクリュー７により送られる洗浄水を浄化する浄水パック８を配置し、金網９の先は、頭部に当たる浄化水一時貯水タンク１０内に通じており、洗浄水一時貯水タンク１０と自在首２１は首振り機構をそなえているため、洗浄ノズル４角度の微調整ができ、使用時に洗浄ノズル４を取り付けるノズル挿入穴２３には、保管時は、動物の口、又は、くちばしの形状をしたノズル挿入穴カバー１１を挿入して覆い、洗浄水一時貯水タンク１０の動物の目にあたる部分には、水温が体温程度に上がった時、色が変わる水温感知変色センサー２０を備える使い捨て洗浄ノズル装着携帯電動温水局所洗浄器である。【００１１】  図２は、保管時の外観斜視図であり、保管時の外観を示す図である。この図は、ペンギンを模したものであるが、外観は、ペンギンでなくとも、図１に示す機構を使い、例えば、たぬき、熊などの他の動物を模することも可能である。【００１２】  図３は、保管時の側断面分解図であり、図４は、保管時の斜視分解図であり、共に、保管時には、各部品が、どのように組み立てられているか、及び、どのように収納されているかを示す図である。洗浄ノズル格納足１２の中央に開けた穴に洗浄ノズル４を挿し、洗浄ノズル４の先端に発熱体挿入管３ａの付いた発熱体３を被せて、貯水容器１の発熱体挿入部２に挿す。２本の乾電池１９は、電池箱１５の電池箱蓋１６を開いて入れる。洗浄水出入り口１ａの明いた貯水容器１上部の筒穴には、モーター保持材６で覆われたモーター５に軸受２２を取り付け送水スクリュー７を取り付けたユニットを挿入設置し、自在首２１の奥まで浄水パック８を押し込んで、ノズル挿入穴２３にノズル挿入穴カバー１１を取り付けた浄水一時貯水タンク１０と一体化した自在首の先端を挿し保管状態を作る。【００１３】  図５は、使用時の側断面分解図であり、図６は、使用時の斜視分解図であり、共に、器具内部に収納していた部品を、使用時には、どのように使うかを示す図である。自在首２１を貯水容器１から取り外し、洗浄水出入り口１ａから貯水容器１内に洗浄水を注入したら、使い捨ての浄水パック８を、金網９に当たるまで自在首２１の奥まで挿入し、元に戻す。洗浄ノズル格納足１２と飾り台１４の一体化した蓋を取り外して洗浄ノズル４を取り出し、ノズル挿入穴カバー１１を取り外し、洗浄ノズル４を浄化水一時貯水タンク１０に明いたノズル挿入穴２３に挿入して取り付ける。貯水容器１内の発熱体挿入部２には、発熱するように処置した発熱体３を挿入して洗浄ノズル格納足１２を挿して蓋をする。【００１４】  図７は、使用時の側断面図であり、図８は、使用時の外観斜視図であり、部品の内部構成と使用時の外観を示し、共に、洗浄ノズル４の角度調整を説明する図である。自在首２１のツバ部分を浄化水一時貯水タンク１０の内部の外壁に添って設けた溝の中に入れて取り付けているので、頭部である浄化水一時貯水タンク１０は、上下左右のあらゆる方向に微調整ができる構造となっている。図７の、浄化水一時貯水タンク１０内に示す矢印のように頭部が可動することで洗浄ノズル４の向きは、頭部の可動範囲内で、あらゆる方向に微調整できる。【００１５】  図９は、頭部の斜視分解図であり、洗浄ノズルの角度調整のための首振り機構と浄水パックを入れる自在首の構造を示す図である。自在首２１は、最下部に、洗浄水が通る門型の穴が開いて、縦に２分割された半円柱状の筒の中央部分に円盤状のツバを持った形状をし、貼り合わせて円柱状にしてから、その先端に、金網９を被せた形となっている。浄化水一時貯水タンク１０は、半球状で、内壁沿いに自在首のツバ部分が入る溝を形成したものを、自在首を挟んで両側から貼り合わせる構造とした。ノズル挿入穴２３には、動物の口やくちばしを模したノズル挿入穴カバー１１を取り付けて、保管時のノズル挿入穴２３の汚れを防ぎ、局所洗浄器であることが分からないようにする働きもする。【００１６】  使用するには、貯水容器１に洗浄水を注入して、図７及び図８に示すようにセットした後、発熱体３の熱が洗浄水に伝わり水温感知変色センサー２０の色が変わるのを待ち、浄化水一時貯水タンク１０である頭部を下にして逆さに持って、洗浄ノズル４を膣に挿入しスイッチ１７を入れることで、浄化された温かい洗浄水の柔らかな電動送水により、洗浄後の廃液で手を汚すこともなく、局所洗浄ができる。
【産業状の利用可能性】
【００１７】  本考案の使い捨て洗浄ノズル装着携帯電動温水局所洗浄器によって、
１．局部洗浄後の廃液で手を汚すことを防ぎ、貯水容器内部から温める発熱体で洗浄水を適度に温め使い捨て浄水パックで綺麗にろ過した洗浄水を、乾電池式電動モーター駆動の送水スクリューによる送水で一時貯水タンクに溜めてから柔らかな水流で送り出し、廃棄の際に、その形状を残さずつぶすことができ焼却することができる材質の清潔な使い捨て洗浄ノズルを使用し、衛生的に心地よく使用でき、生体にやさしい局所洗浄を可能とした。
２．保管時の形状を、内部に消耗部品を格納でき、局所洗浄器であることが分からないような動物を模した形としたことで、保管時や携帯時に、局所洗浄器と分かってしまう恥ずかしさによる抵抗感を取り除ける心理的効果を持つ。
３．安全で手軽に心地よく、従来にない衛生的な局所洗浄が可能になる。
以上の効果から、携帯用局所洗浄器として、且つ、安価な家庭用の簡易局所洗浄器としても女性の健康及び衛生管理に大いに役立つ。
【図面の簡単な説明】
【００１８】
【図１】側断面図である。
【図２】外観斜視図である。
【図３】側断面分解図である。
【図４】斜視分解図である。
【図５】使用時の側断面分解図である。
【図６】使用時の斜視分解図である。
【図７】使用時の側断面図である。
【図８】使用時の外観斜視図である。
【図９】頭部の斜視分解図である。
【符号の説明】
【００１９】１  貯水容器
１ａ  洗浄水出入口
２  発熱体挿入部
３  発熱体
３ａ  発熱体挿入管
４  洗浄ノズル
５  モーター
６  モーター保持材
７  送水スクリュー
８  浄水パック
９  金網
１０  浄化水一時貯水タンク
１１  ノズル挿入穴カバー
１２  洗浄ノズル格納足
１３  空気供給穴
１４  飾り台
１５  電池箱
１６  電池箱蓋
１７  スイッチ
１８  配線
１９  乾電池
２０  水温感知変色センサー
２１  自在首
２２  軸受け
２３  ノズル挿入穴
【図１】
0003133610.tif 000003
【図２】
0003133610.tif 000004
【図３】
0003133610.tif 000005
【図４】
0003133610.tif 000006
【図５】
0003133610.tif 000007
【図６】
0003133610.tif 000008
【図７】
0003133610.tif 000009
【図８】
0003133610.tif 000010
【図９】
0003133610.tif 000011